【手続補正書】
【提出日】平成19年3月8日(2007.3.8)
【手続補正１】
【補正対象書類名】明細書
【補正対象項目名】特許請求の範囲
【補正方法】変更
【補正の内容】
【特許請求の範囲】
【請求項１】  印字データに基づいて感光体に潜像を形成し、この潜像を現像材により現像して可視化した画像を記録紙に転写する画像形成手段と、前記記録紙に転写された現像材を定着させる熱定着手段と、前記記録紙を機内搬送路上で搬送する搬送手段と、プリント指示に従って前記画像形成手段と前記熱定着手段と前記搬送手段による画像形成動作を制御するエンジン制御部と、外部機器から送られた画像データを印字データに展開するとともに前記エンジン制御部に対しプリント指示を行うプリンタコントローラとを有する画像形成装置であって、
前記エンジン制御部は、前記プリンタコントローラにより展開された印字データの頁毎に対応した画像形成プロセス条件を複数記憶する登録メモリと、
前記プリンタコントローラからの指示により複数頁分の複数の画像形成プロセス条件を前記登録メモリに頁毎に順次記憶させる印字登録手段とを有し、
前記登録メモリに記憶されたの複数の画像形成プロセス条件に基づいて複数頁分の画像形成動作を制御することを特徴とする画像形成装置。
【請求項２】  前記エンジン制御部は、前記登録メモリに記憶されている連続する複数頁の画像形成プロセス条件を比較する比較手段を有し、前記比較手段による比較結果により頁間におけるプロセス処理動作の切り換えを制御することことを特徴とする請求項１に記載の画像形成装置。
【請求項３】  前記エンジン制御部は、前記比較手段の比較結果に応じて、前頁の印字処理動作を終了した後、後続頁の印字処理動作を再開するか、もしくは前頁に継続して後続頁の印字処理動作をおこうなうかを判断することを特徴とする請求項２に記載の画像形成装置。
【請求項４】  前記エンジン制御部は、前記比較手段の比較結果に応じて、頁間において後続頁の給紙タイミングを調整しつつ後続頁の画像プロセス条件に変更し、前頁に継続して後続頁の画像形成動作を行うことを特徴とする請求項２および３のいずれかに記載の画像形成装置。
【請求項５】  前記画像形成プロセス条件は、定着モード、帯電モード、転写モード、現像モード、用紙搬送速度のいずれかを含むことを特徴とする請求項１乃至４のいずれかに記載の画像形成装置。
【手続補正２】
【補正対象書類名】明細書
【補正対象項目名】０００７
【補正方法】変更
【補正の内容】
【０００７】
【課題を解決するための手段および作用】
請求項１記載の画像形成装置において、印字データに基づいて感光体に潜像を形成し、この潜像を現像材により現像して可視化した画像を記録紙に転写する画像形成手段と、前記記録紙に転写された現像材を定着させる熱定着手段と、前記記録紙を機内搬送路上で搬送する搬送手段と、プリント指示に従って前記画像形成手段と前記熱定着手段と前記搬送手段による画像形成動作を制御するエンジン制御部と、外部機器から送られた画像データを印字データに展開するとともに前記エンジン制御部に対しプリント指示を行うプリンタコントローラとを有する画像形成装置であって、前記エンジン制御部は、前記プリンタコントローラにより展開された印字データの頁毎に対応した画像形成プロセス条件を複数記憶する登録メモリと、前記プリンタコントローラからの指示により複数頁分の複数の画像形成プロセス条件を前記登録メモリに頁毎に順次記憶させる印字登録手段とを有し、前記登録メモリに記憶されたの複数の画像形成プロセス条件に基づいて複数頁分の画像形成動作を制御することを特徴とする。
【手続補正３】
【補正対象書類名】明細書
【補正対象項目名】０００８
【補正方法】変更
【補正の内容】
【０００８】
請求項２記載の画像形成装置において、前記エンジン制御部は、前記登録メモリに記憶されている連続する複数頁の画像形成プロセス条件を比較する比較手段を有し、前記比較手段による比較結果により頁間におけるプロセス処理動作の切り換えを制御することことを特徴とする。
【手続補正４】
【補正対象書類名】明細書
【補正対象項目名】０００９
【補正方法】変更
【補正の内容】
【０００９】
請求項３記載の画像形成装置において、前記エンジン制御部は、前記比較手段の比較結果に応じて、前頁の印字処理動作を終了した後、後続頁の印字処理動作を再開するか、もしくは前頁に継続して後続頁の印字処理動作をおこうなうかを判断することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
１１０は１回転することにより、記録用紙のサイズを識別する機能を有するカセットから用紙を給紙し、搬送路に送り出すカセット給紙ローラ、１１１は記録用紙のサイズを識別する機能を有しない手差し給紙口（ＭＰトレイ）から用紙を搬送路に送り込む手差し給紙ローラである。１１３は着脱可能で封筒のみ積載可能な封筒フィーダから記録用紙を１枚ずつ搬送路に送り込む封筒フィーダの給紙ローラである。１１４、１１５はカセットから給紙された記録用紙を搬送する搬送ローラである。
【手続補正８】
【補正対象書類名】明細書
【補正対象項目名】００２６
【補正方法】変更
【補正の内容】
【００２６】
電源投入時ＩＤ登録制御部２１２はＳ４０１にてＩＤ登録カウンタＰＣ及びＩＤ番号Ｎｏに０をセットする。ＩＤ登録カウンタＰＣは用紙搬送制御部２０３において１頁印字が終了するとデクリメントされる。またＩＤ番号Ｎｏは登録メモリの保持エリアを示している。予約コマンドを受信した際にＮｏ＝１であればＩＤ１登録エリアにプロセス条件が保持される。Ｓ４０２にて随時予約コマンドを受け付けており、予約コマンドを受信するとＳ４０３にてＩＤ登録カウンタＰＣが５になっていないか確認する。５であれば印字されていないデータが６頁分あるということなのでＳ４０５にて予約不可をプリンタコントローラ２０１に報知する。５でなければＳ４０４にてＩＤ番号Ｎｏが６でないか確認する。６であれば番号がオーバーフローしているのでＳ４０６にて０をセットする。６でなければＳ４０７にて現状プリンタコントローラ２０１から指示されているプロセス条件をＩＤＮｏ登録メモリに保持し、ＩＤ番号Ｎｏをインクリメントする。連続プリント中はＳ４０２〜Ｓ４０７を繰り返す。
【手続補正９】
【補正対象書類名】明細書
【補正対象項目名】００２７
【補正方法】変更
【補正の内容】
【００２７】
プリンタコントローラ２０１は各頁の予約コマンドを発行する前にプロセスモード指示するコマンドを発行している。
【手続補正１０】
【補正対象書類名】明細書
【補正対象項目名】００２８
【補正方法】変更
【補正の内容】
【００２８】
以上述べたように本実施例ではプリンタエンジンの各制御部がＩＤ登録メモリに保持されたプロセス条件にて制御をおこなうため、プリンタコントローラ２０１はプリンタエンジンの状態にかかわらずプロセスモードコマンドを発行することができ、頁ごとのプロセスモード指定を容易におこなうことが可能になる。
【手続補正１１】
【補正対象書類名】明細書
【補正対象項目名】００３２
【補正方法】変更
【補正の内容】
【００３２】
ＩＤ登録メモリにはそれぞれのプリント予約コマンドが発効されたときのプロセスモードを記憶保持しており、データ内容は図７に図示する、給紙口、プロセススピード、排紙口の３モードである。
【手続補正１２】
【補正対象書類名】明細書
【補正対象項目名】００３３
【補正方法】変更
【補正の内容】
【００３３】
プリンタコントローラ２０１がＩＤ０へのプリントコマンド受信した後、Ｓ６０１にてＩＤ０の用紙がトップセンサ１１８に到達するのを待つ。トップセンサ１１８に用紙が到達するとＩＤ１の登録メモリよりデータを読み出し（Ｓ６０２）、Ｓ６０３にて搬送スピードを比較する。ここでＩＤ０とＩＤ１が一致しない場合はＳ６１１にてＩＤ０の用紙をＦＤトレイ１２７に排出しプリント動作が終了し、プリンタエンジンがスタンバイ状態になったことをもって（Ｓ６１２）、Ｓ６１３にて各プロセスモードをＩＤ１登録メモリに記憶された内容に設定する。設定が終了した後にＳ６１４にて用紙搬送制御部に対してＩＤ１の給紙動作を許可し、エンジン制御部２０２はＩＤ登録１メモリの設定通りにプリント動作をおこなう。
【手続補正１３】
【補正対象書類名】明細書
【補正対象項目名】００３４
【補正方法】変更
【補正の内容】
【００３４】
搬送スピードが一致する場合はスタンバイ状態にいれることなく給紙口をＩＤ１の給紙口に変更し（Ｓ６０４）、用紙搬送制御部２０３に対してＩＤ１の給紙を許可する（Ｓ６０５）。
【手続補正１４】
【補正対象書類名】明細書
【補正対象項目名】００３５
【補正方法】変更
【補正の内容】
【００３５】
その後ＩＤ０の用紙紙後端が排紙センサ１１９を抜けてから（Ｓ６０６）、Ｓ６０７にて所定時間経過するのをまってＩＤ１の排紙口に設定する（Ｓ６０８）。
【手続補正１５】
【補正対象書類名】明細書
【補正対象項目名】００３７
【補正方法】変更
【補正の内容】
【００３７】
このように複数ページの印字を行う場合に予約時にＩＤ登録メモリに記憶されたプロセスモードを前後ＩＤで比較することによって、エンジン制御部２０２がプリンタエンジンを一旦スタンバイに入れるか否か判断することができ、プロセス条件が一致した場合やスタンバイに入れる必要のない項目に関しては引き続き後続紙の給紙搬送をすることが可能になる。
【手続補正１６】
【補正対象書類名】明細書
【補正対象項目名】００４０
【補正方法】変更
【補正の内容】
【００４０】
ＩＤ登録メモリにはそれぞれのプリント予約コマンドが発効されたときのプロセスモードを記憶保持しており、データ内容は実施例２と同様図７に図示する、給紙口、プロセススピード、排紙口の３モードである。
【手続補正１７】
【補正対象書類名】明細書
【補正対象項目名】００４１
【補正方法】変更
【補正の内容】
【００４１】
プリンタコントローラ２０１がＩＤ０へのプリントコマンド受信した後、Ｓ８０１にてＩＤ０の用紙がトップセンサ１１８に到達するのを待つ。トップセンサに用紙が到達するとＩＤ１の登録メモリよりデータを読み出し（Ｓ８０２）、Ｓ８０３にて搬送スピードを比較する。ここでＩＤ０の搬送スピードＶｉｄ０とＩＤ１の搬送スピードＶｉｄ１が一致する場合はＳ８１１にて継続してＩＤ１の印字動作をおこなう前述したＳ６０４以下の処理をおこなう。次にＳ８０４にてＩＤ０の搬送スピードＶｉｄ０がＩＤ１の搬送スピードＶｉｄ１よりはやい場合はＳ８１２にてプリンタエンジンを一旦スタンバイ状態にさせる前述したＳ６１１以下の処理をおこなう。ここでＩＤ０の搬送スピードＶｉｄ０がＩＤ１の搬送スピードＶｉｄ１よりおそい場合はスタンバイ状態にいれることなく給紙口をＩＤ１の給紙口に変更しする（Ｓ８０５）。その後ＩＤ０の用紙紙後端が排紙センサ１１９をぬけるのをまって（Ｓ８０６）、ＩＤ１の搬送速度に設定変更をおこない（Ｓ８０７）、用紙搬送制御部２０３に対してＩＤ１の給紙を許可する（Ｓ８０８）。
【手続補正１８】
【補正対象書類名】図面
【補正対象項目名】図４
【補正方法】変更
【補正の内容】
【図４】
2003330325.tif 000001